(57)【特許請求の範囲】
【請求項１】
情報受信手段と情報送信手段を有し、通信の開始時に情報受信手段と情報送信手段を回線で接続し情報送信手段から該情報受信手段への情報の送信を行う電気通信網において、
同報通信の開始時刻になるとまたは情報送信手段または情報送信を要求する手段からの発呼指示を受けると同報先の複数の情報受信手段に発呼指示を生起する網サービス制御手段と、
該網サービス制御手段から発呼指示を受けて電波を使用して該発呼指示を送信する電波送信手段と、
該電波送信手段からの発呼指示を受信する、情報受信手段に具備される電波受信手段を有し、
前記電波送信手段は、前記情報受信手段にもうけられた前記電波受信手段に発呼指示を送信し、同報先の複数の前記情報受信手段が前記情報送信手段へ発呼し回線を接続し、情報送信手段が各同報先に情報を送信することを特徴とする電波を利用した同報通信方式。
【請求項２】
電気通信網に、回線の接続経路上に３つ以上の回線が集まるときに情報の複写、情報の重ね合せまたは情報の差し込みをする分岐手段をもうけ、
分岐手段は情報の複写、情報の重ね合せまたは情報の差し込みをすることを特徴とする請求項１記載の電波を利用した同報通信方式。
【請求項３】
前記網サービス制御手段に、更に情報送信手段から情報受信手段までの経路を導き出し交換機へ接続指示を送る手段をもうけ、
網サービス制御手段は情報送信手段から情報受信手段までの接続経路を導き出し、交換機は網サービス制御手段との問い合わせと応答により得られる指示により他の交換機との間の情報伝送手段に接続経路をもうけることを特徴とする請求項１記載の電波を利用した同報通信方式。
【請求項４】
複数の情報受信手段を互いに識別する受信識別子をもうけ、
電波送信手段は発呼指示とともに受信識別子を送信し、情報受信手段は該受信識別子と自識別子が一致すると情報送信手段または該情報送信手段に接続する分岐手段に発呼し回線を接続することを特徴とする請求項１記載の電波を利用した同報通信方式。
【請求項５】
複数の情報送信手段を互いに識別する送信識別子をもうけ、
電波送信手段は発呼指示とともに送信識別子を送信し、情報受信手段は該送信識別子に一致する情報送信手段または該情報送信手段に接続する分岐手段に発呼し回線を接続することを特徴とする請求項１記載の電波を利用した同報通信方式。
【請求項６】
情報受信手段に情報送信手段または接続の分岐手段に発呼し回線を接続する手段と、電波送信手段にＦＭ放送の電波の隙間のステレオ放送を行っていることを示す副搬送波信号の１／２の周波数のパイロット信号に振幅変調をかけて情報受信手段へ発呼指示を送信する電波放送手段をもうけ、
電波放送手段は、ＦＭ放送の電波の隙間のステレオ放送を行っていることを示す副搬送波信号の１／２の周波数のパイロット信号に振幅変調をかけて情報受信手段へ発呼指示を送信し、情報受信手段が情報送信手段または接続の分岐手段に発呼し回線を接続することを特徴とする請求項１記載の電波を利用した同報通信方式。
【発明の詳細な説明】
【０００１】
【発明の属する技術分野】
本発明は同報通信の情報受信手段等で通信を始める時、網内の発呼手段を不要とし、網での手順を削減し使用する信号伝送手段や交換機等の網資源の量を小さくし、情報送信手段と情報受信手段を最適な経路で接続し、信号伝送手段、交換機や情報伝送手段等の網資源の性能を他の目的に使用可能とするための接続方式に関する。
【０００２】
【従来の技術】
従来このような通信装置と処理方法においては、情報送信手段または分岐手段が全ての情報受信手段の電話番号を保持し、かつ発呼手段を持ち、情報送信手段から情報受信手段へ同報送信をする際は、情報送信手段から全ての情報受信手段へ発呼してから送信を始める。また、情報受信手段が呼び出されるとき、該情報受信手段に接続できるかどうかを情報送信手段または分岐手段が確認し、接続できなかった端末は通信開始状態になってから追加している。または、情報送信手段または分岐手段に情報受信手段の電話番号を登録し分岐手段から接続の可能性のある全ての情報受信手段や情報送信手段へ発呼してから送信を始める。また、情報送信手段や情報受信手段が呼び出されるとき、情報送信手段が接続できなかったら再度呼び出し、接続できなかった端末は通信開始状態になってから追加が行なわれている。また、情報送信手段の電話番号と対応する唯一つの分岐手段とそれぞれの情報受信手段が個々に一般の電話と同様の経路で接続されていた。
【０００３】
従来は、図１の従来の通信順序の一例と図２の従来の網構成の一例のように、情報送信手段５は交換機２へ発呼し接続をもうけ、交換機２は情報受信手段４へ発呼し、情報受信手段４は交換機２に応答し接続をもうけ、交換機２は情報送信手段５へ応答し、情報送信手段５は交換機へ通話開始を指示していた。
【０００４】
【発明が解決しようとする課題】
従来のこのような通信装置と処理方法では、次のような欠点がある。（１）情報送信手段または分岐手段が発呼手段を持つため、装置等の費用が増える。（２）情報送信手段または分岐手段に情報受信手段の電話番号を登録する必要がある。（３）情報送信手段または情報受信手段への接続ができるかどうか確認をし、再発呼や追加をするため、接続のための制御手順が多い。（４）今は網内発呼は国際標準で決められておらず標準化に従う設計は難しい。（５）同報通信のための網内発呼は一時的に例えば発呼手段や情報受信手段を登録したデータ等の網資源を占有し使用効率が悪い。（６）情報送信手段と情報受信手段が非効率な経路を使って接続される可能性がある。
【０００５】
本発明の目的は、上記のように情報送信手段から情報受信手段へ同報送信をする場合に、電波送信手段が、放送の電波を利用して情報受信手段へ発呼指示を送信し、情報受信手段が情報送信手段または分岐手段に発呼し回線を接続することにより、回線接続のために使われる信号伝送手段や交換機等の網資源の量を小さくし、網内の発呼手段を不要とし、情報送信手段または分岐手段の発呼手段と接続のための制御手順を少なくし、情報送信手段と情報受信手段を最適な経路で接続することにある。
【０００６】
【課題を解決するための手段】
本発明は、情報受信手段の電波受信手段に電気通信網にもうける電波送信手段より送られる電波を監視する電波検出部をもうけ、該情報受信手段宛の発呼指示が送信されてくるか否かを監視し、電波を検出する。発呼指示を受信した場合情報受信手段から情報送信手段または分岐手段への発呼により、網サービス制御手段、情報送信手段または分岐手段に情報受信手段に電話番号の登録を不要とし、情報送信手段または分岐手段の発呼手段と接続のための制御手順を不要とする。この形態で情報受信手段で通信機を動作させた場合には、情報受信手段は常に通信可能な状態にしておく必要はなく電波を使用した発呼指示のみ受信可能な状態にしておくだけで、回線が接続されると情報受信手段の通信機を動作させるようにし、情報送信手段より送信される情報を受信可能なようにする。
【０００７】
また、網サービス制御手段に、通信の開始時刻になるとまたは情報送信手段等からの発呼指示を送る要求を受けると電波送信手段へ発呼指示の送信命令を送信する手段をもうけ、網内の発呼手段を不要とし接続制御手順を少なくし、網内発呼による一時的に発呼手順に使う資源の占有を防ぐ。
【０００８】
また、電気通信網に、情報送信手段から情報受信手段までの最適な経路を導き出す手段と、回線の接続経路上に３つ以上の回線が集まるときに情報の複写、情報の重ね合わせまたは情報の差し込みをする分岐手段をもうけ、交換機が網サービス制御手段との問い合わせと応答により得られる指示により他の交換機との間の経路を接続し、情報送信手段と情報受信手段を最適な経路で接続する。電波送信手段は、ＦＭ放送の電波の隙間のステレオ放送を行なっていること示す副搬送波信号の１／２の周波数のパイロット信号に振幅変調をかけて情報受信手段へ発呼指示を送信し、放送に用いられる帯域を保つ。
【０００９】
【発明の実施の形態】
図３は本発明を実現するための網の一構成例である。１は網サービス制御手段、２の１，２の２，・・・，２のｉは交換機、３は放送局等の電波送信手段、４の１，４の２，・・・，４のｊは通信端末等の情報受信手段、５は情報送信手段、６の１，６の２，・・・，６のｋは信号伝送手段、７の１，７の２，・・・，７のｎは共通線信号網等の情報伝送手段、８と９の１，９の２，・・・，９のＩ−１，９のＩは加入者線等の加入者接続手段または情報伝送手段、１０の１，１０の２，・・・，１０のｍは分岐手段、１１の１，１１の２，・・・，１１のｎは電波受信手段、１２は電波放送手段である。
【００１０】
図４は本発明の通信順序の一例である。以下図３、図４を用いて本発明の動作を説明する。情報送信手段５には、情報の送信手段の他に、網サービス制御手段１へ加入者接続手段または情報伝送手段９と信号伝送手段６を通して情報受信手段４への発呼指示の送信を要求する手段と受信識別子、情報の送信時刻、不接時の再度の接続の方法を送る手段等が備えられている。網サービス制御手段１には、情報送信手段５等からの発呼指示を送る要求を受けまたは予め決められた時刻になると電波送信手段３へ加入者接続手段または情報伝送手段８を通して情報受信手段４への発呼指示の放送要求を送る手段と情報送信手段５から情報受信手段４までの経路を導き出して交換機２へ接続指示を送る手段が備えられている。交換機２には網サービス制御手段１との問い合わせと応答により得られる指示により他の交換機との間の情報伝送手段に経路をもうける手段と、分岐手段１０が備えられている。さらに情報送信手段５、発呼を受け付けた情報受信手段４と、先に記した経路を接続する手段が備えられている。ＦＭ放送の電波の隙間の、（後藤尚久、新井宏之共著「電波工学」（平４−５−１８）昭晃堂ｐｐ．１３６−１３７に開示されているように、）ステレオ放送を行っていることを示す副搬送波信号の１／２の周波数のパイロット信号に振幅変調をかけて放送とは異なるデータ伝送を行うことも可能で、ポケットベルの呼出や情報サービスとして米国などではすでに実用化されており、これをパイロット信号振幅変調手段と呼ぶ。電波送信手段３には網サービス制御手段１から加入者回線または情報伝送手段８を通して情報受信手段４への発呼指示の放送要求を受けて、パイロット信号振幅変調手段を使い情報受信手段４へ発呼指示を送る手段が備えられている。電波放送手段３としては上述以外に、公知な技術を使うこともできる。例えば、竹本鴨男、渡部正喜共著「ＦＭ多重放送の現状と動向」、放送技術、Ｖｏｌ．４７，Ｎｏ．７，兼六出版（平６）ｐ６８４や黒田徹、高田政幸、磯部忠、山田宰共著「移動受信ＦＭ多重伝送方式」、ＮＨＫ技研Ｒ＆Ｄ，Ｎｏ．３２，（平６−８）ｐｐ．１−１３に開示されているようにステレオ音声信号と異なる信号を既設のＦＭ放送と同一の周波数帯に重畳して伝送するＦＭ多重放送の方法で情報受信手段４へ発呼指示を送る。情報受信手段４には、網サービス制御手段１からの発呼指示を受信する手段と、情報送信手段５または分岐手段１０に発呼し交換機２を介して回線を接続する手段が備えられている。信号伝送手段６には、情報送信手段５から網サービス制御手段１へ送られる受信識別子、情報の送信時刻、不接時の再度の接続の方法を含む信号を伝送する手段が備えられている。情報伝送手段７には、情報送信手段５から情報受信手段４へ同報送信される情報内容を送信する手段が備えられている。加入者回線または情報伝送手段８には、網サービス制御手段１から電波送信手段３へ情報受信手段４への発呼指示を伝送する手段が備えられている。加入者接続手段または情報伝送手段９には、情報送信手段５が電波送信手段３から情報受信手段４への発呼指示を送る要求を伝送する手段と、情報送信手段５から情報受信手段４へ同報送信される情報内容を伝達する手段が備えられている。分岐手段１０には、発呼を受け付けたまたは網サービス制御手段１から接続の指示を受けた情報受信手段４と情報送信手段５との間に３つ以上の接続が必要になる時に接続を分岐する手段が備えられている。情報を送る必要が生じると情報送信手段５は網サービス制御手段１に情報受信手段４への発呼指示の送信を要求する。図４に示すように、網サービス制御手段１は発呼指示の送信の要求を受けるまたは予め決められた時刻になると、電波送信手段３へ加入者接続手段または情報伝送手段８を通して情報受信手段４への発呼指示の放送要求（Ｓ１）を送り、そして情報送信手段５から情報受信手段４までの経路を導き出す。電波送信手段３は放送要求を受けて、パイロット信号振幅変調手段を使い情報受信手段４へ発呼指示（Ｓ２）を送る。情報受信手段４は発呼指示を受けて情報送信手段５または分岐手段１０に発呼し交換機２を介して回線を接続する（Ｓ３）。その際網サービス制御手段１は情報送信手段５から情報受信手段４までの、網資源の利用に有効な、接続遅延が小さくなるまたは伝搬遅延を小さくする経路を導き出し、交換機２は網サービス制御手段１との問い合わせと応答により得られる指示（Ｓ４）により他の交換機との間の情報伝送手段に経路をもうけ、分岐手段１０は発呼を受け付けたまたは網サービス制御手段１から接続の指示を受けた情報受信手段４と情報送信手段５との間に３つ以上の接続が必要になるとき接続を分岐する（Ｓ５）。
【００１１】
【発明の効果】
以上述べたように、ＦＭ放送の電波の隙間を利用して情報受信手段へ発呼指示を送信し、情報受信手段が情報送信手段または分岐手段に発呼し回線を接続するので、放送に用いられる帯域を保ちながら、従来の方法よりも、回線接続のために使われる信号伝送手段や交換機等の網資源の量を小さくでき、情報送信手段または分岐手段等に備えられる網内の発呼手段を不要とするとともに接続のための制御手順を少なくできる。この際、網サービス制御手段１は経路の選択による効果がある接続が行なえる交換機だけに接続指示を送るため、従来の、接続の可能性のある全ての端末や情報送信手段へ発呼してから送信を始める方法に比べて回線接続動作の指示や確認の回数を少なくできる。また、交換網が輻輳等の時も、いつもは使われずにある放送用の帯域により発呼指示を送るので、情報受信手段への発呼指示の送信が可能になる。
【００１２】
以上説明したように、特にＦＭ放送の電波の隙間のステレオ放送を行なっていることを示す副搬送波信号の１／２の周波数のパイロット信号に振幅変調をかけて情報受信手段からの発呼により情報送信手段または分岐手段に回線を接続するようにすることで、放送に用いられる帯域を保ちながら使う網資源の量を小さくでき網内の発呼手段を不要とし接続制御手順を少なくできる。
【図面の簡単な説明】
【図１】従来の通信順序の一例を示す図である。
【図２】従来の網の構成例を示す図である。
【図３】本発明による網の構成例を示す図である。
【図４】本発明による通信順序の一例を示す図である。
【符号の説明】
１  網サービス制御手段
２の１，２の２，・・・，２のｉ  交換機
３  電波送信手段
４の１，４の２，・・・，４のｊ  情報受信手段
５  情報送信手段
６の１，６の２，・・・，６のｋ  信号伝送手段
７の１，７の２，・・・，７のｎ  情報伝送手段
８，９の１，９の２，・・・，９のＩ−１，９のＩ  加入者接続手段または情報伝送手段
１０の１，１０の２，・・・，１０のｍ  分岐手段
１１の１，１１の２，・・・，１１のｎ  電波受信手段
１２  電波放送手段
【図１】
0003581910.tif 000002
【図２】
0003581910.tif 000003
【図３】
0003581910.tif 000004
【図４】
0003581910.tif 000005